(57)【要約】【課題】複数の電子機器の利用が不便になるという問題を解決すること。【解決手段】本発明における情報処理端末は、所定の出力情報を表示する出力用表示面を有する出力情報表示部と、前記出力情報表示部に並設して配置され、面上に対する接触に基づいて入力される入力情報を表示する入力用表示面を有する入力情報表示部と、前記入力情報を記憶する記憶手段と、を備える。【選択図】図１
2013242612.tif 000002
【特許請求の範囲】
【請求項１】
所定の出力情報を表示する出力用表示面を有する出力情報表示部と、
前記出力情報表示部に並設して配置され、面上に対する接触に基づいて入力される入力情報を表示する入力用表示面を有する入力情報表示部と、
前記入力情報を記憶する記憶手段と、
を備える情報処理端末。
【請求項２】
入力装置により接触された前記入力用表示面上の位置を検出し、当該位置を表す位置情報に基づく入力の軌跡を前記入力情報として取得する入力情報取得手段、
をさらに備える請求項１記載の情報処理端末。
【請求項３】
前記入力装置は、端部に筆記可能な筆記手段を有し、前記入力装置の端部と前記入力用表示面との接触を検出すると、前記入力装置の端部から予め設定された無線信号を出力し、
前記入力情報取得手段は、
前記入力装置により出力された無線信号を受信する無線信号受信部と、
前記無線信号受信部により受信された前記無線信号に基づいて、前記入力装置により接触された前記入力用表示面上の位置を検出する位置情報検出手段と、
を備える請求項２記載の情報処理端末。
【請求項４】
前記入力用表示面は紙であり、
前記入力装置は、当該入力装置の端部に紙に筆記可能な筆記手段を有する、
請求項２又は３記載の情報処理端末。
【請求項５】
前記入力情報取得手段は、情報処理端末と取り外し可能に構成されており、
前記位置情報検出手段により検出された前記位置情報を記憶する位置情報記憶手段と、
前記位置情報記憶手段により記憶された前記位置情報を前記情報処理端末へ送信する位置情報送信手段と、
を備え、
前記位置情報送信手段により送信された前記位置情報を受信する位置情報受信手段をさらに備え、
前記記憶手段は、前記位置情報受信手段により受信された前記位置情報に基づく入力の軌跡を前記入力情報として記憶する、
請求項３又は４記載の情報処理端末。
【請求項６】
前記入力情報表示部は、前記入力用表示面上に対する接触に応じて、接触された前記入力用表示面上の位置の表示色を前記入力用表示面の背景色とは異なる色に変化させるとともに、初期化指示の入力に応じて、前記入力用表示面上の表示色を背景色に変化させる、
請求項１記載の情報処理端末。
【請求項７】
前記入力情報取得手段は、前記入力装置により接触された前記入力情報表示部の前記入力用表示面上の位置を検出し、前記位置情報に基づく入力の軌跡を前記入力情報として取得するタッチパネル式入力装置である、
請求項２記載の情報処理端末。
【請求項８】
出力用表示面を有する出力情報表示部と、前記出力情報表示部に並設して配置され、入力用表示面を有する入力情報表示部と、所定の情報を記憶する記憶手段と、を備える情報処理端末にて、
前記入力用表示面上に対する接触に基づいて入力される入力情報を受け付け、
前記入力情報を前記入力用表示面に表示し、
前記入力情報を前記記憶手段に記憶する、
情報処理方法。
【請求項９】
入力装置により接触された前記入力用表示面上の位置を検出し、当該位置を表す位置情報に基づく入力の軌跡を前記入力情報として取得する、
請求項８記載の情報処理方法。
【請求項１０】
前記入力情報表示部は、前記入力用表示面上に対する接触に応じて、接触された前記入力用表示面上の位置の表示色を前記入力用表示面の背景色とは異なる色に変化させるとともに、初期化指示の入力に応じて、前記入力用表示面上の表示色を背景色に変化させる、
請求項８記載の情報処理方法。
【請求項１１】
出力用表示面を有する出力情報表示部と、前記出力情報表示部に並設して配置され、入力用表示面を有する入力情報表示部と、所定の情報を記憶する記憶手段と、を備える情報処理端末に、
入力装置により接触された前記入力用表示面上の位置を検出し、当該位置を表す位置情報に基づく入力の軌跡を前記入力情報として取得する入力情報取得手段、
を実現させるためのプログラム。
【請求項１２】
出力用表示面を有する出力情報表示部と、前記出力情報表示部に並設して配置され、入力用表示面を有する入力情報表示部と、所定の情報を記憶する記憶手段と、を備える情報処理端末に、
前記入力用表示面上に対する接触に応じて、接触された前記入力用表示面上の位置の表示色を前記入力用表示面の背景色とは異なる色に変化させるとともに、ユーザによる初期化指示に応じて、前記入力用表示面上の表示色を背景色に変化させるように制御する制御手段、
を実現させるためのプログラム。
【発明の詳細な説明】
【技術分野】
【０００１】
本発明は、情報処理端末にかかり、特に、ユーザの学習を支援する情報処理端末に関する。
【背景技術】
【０００２】
近年、書籍の内容をデータ化し、電子機器のディスプレイで閲覧可能な電子書籍の技術が提案されている。例えば、学生は、この技術を利用して教科書や参考書等の内容をデータ化することで、電子書籍を教科書として利用することが可能になる。
【０００３】
また、入力ペンによる指示位置を検出して、デジタイザを操作する技術が提案されている（特許文献１参照）。例えば、学生は、特許文献１の技術を利用することで、ユーザの手書きによる入力を受け付ける電子ノートを利用することが可能になる。
【先行技術文献】
【特許文献】
【０００４】
【特許文献１】特開平８−９５７３７号公報
【発明の概要】
【発明が解決しようとする課題】
【０００５】
しかしながら、複数の異なる電子機器を使用する場合、異なる電子機器のそれぞれを持ち運ばなければならず、また、ある電子機器に表示された情報を見ながら、他の電子機器に筆記入力する必要があり、各電子機器の利用が不便になることがあった。
【０００６】
このため、本発明の目的は、複数の電子機器の利用が不便になるという問題を解決することができる情報処理端末を提供させることにある。
【課題を解決するための手段】
【０００７】
上記目的を達成すべく、本発明の一形態である情報処理端末は、
所定の出力情報を表示する出力用表示面を有する出力情報表示部と、
前記出力情報表示部に並設して配置され、面上に対する接触に基づいて入力される入力情報を表示する入力用表示面を有する入力情報表示部と、
前記入力情報を記憶する記憶手段と、
を備えるという構成を取る。
【０００８】
また、本発明の他の形態である情報処理方法は、
出力用表示面を有する出力情報表示部と、前記出力情報表示部に並設して配置され、入力用表示面を有する入力情報表示部と、所定の情報を記憶する記憶手段と、を備える情報処理端末にて、
前記入力用表示面上に対する接触に基づいて入力される入力情報を受け付け、
前記入力情報を前記入力用表示面に表示し、
前記入力情報を前記記憶手段に記憶する、
という構成を取る。
【０００９】
また、本発明の他の形態であるプログラムは、
出力用表示面を有する出力情報表示部と、前記出力情報表示部に並設して配置され、入力用表示面を有する入力情報表示部と、所定の情報を記憶する記憶手段と、を備える情報処理端末に、
入力装置により接触された前記入力用表示面上の位置を検出し、当該位置を表す位置情報に基づく入力の軌跡を前記入力情報として取得する入力情報取得手段、
を実現させるためのプログラムである。
【発明の効果】
【００１０】
本発明は、以上のように構成されることにより、複数の電子機器の利便性を向上することができるという優れた効果を有する。
【図面の簡単な説明】
【００１１】
【図１】本発明の第１実施形態における情報処理端末の概略を示す図である。
【図２】本発明の第１実施形態における情報処理端末の構成を示すブロック図である。
【図３】本発明の第１実施形態におけるペン型入力装置の構成を示すブロック図である。
【図４】本発明の第１実施形態における筐体の概略を説明するための図である。
【図５】本発明の第１実施形態における筐体の動作を示すフローチャートである。
【図６】本発明の第１実施形態におけるペン型入力装置の動作を示すフローチャートである。
【図７】本発明の第２実施形態における情報処理端末の概略を示す図である。
【図８】本発明の第２実施形態における情報処理端末の構成を示すブロック図である。
【図９】本発明の第２実施形態における入力情報取得部の動作を示すフローチャートである。
【図１０】本発明の第３実施形態における情報処理端末の概略を示す図である。
【図１１】本発明の第３実施形態における入力情報取得部の構成を示すブロック図である。
【図１２】本発明の第４実施形態における情報処理端末の概略を示す図である。
【図１３】本発明の第４実施形態における筐体の構成を示すブロック図である。
【図１４】本発明の第４実施形態における筐体の動作を示すフローチャートである。
【図１５】本発明の第５実施形態における情報処理端末の概略を示す図である。
【図１６】本発明の第５実施形態における筐体の構成を示すブロック図である。
【図１７】本発明の第５実施形態における筐体の動作を示すフローチャートである。
【発明を実施するための形態】
【００１２】
＜実施形態１＞
本発明の第１の実施形態を、図１乃至図６を参照して説明する。図１乃至図４は、情報処理端末１の構成を説明するための図である。図５と図６は、情報処理端末１の動作を説明するための図である。
【００１３】
［構成］
図１に示すように、本実施形態における情報処理端末１は、２つの筐体１１，１２を備えている。筐体１１は、教科書、参考書等の参照用情報を表示する参照用情報表示部２１（出力用表示面）を有し、電子教科書として機能する。筐体１２は、ペン型の入力装置を使用したユーザにより接触入力された入力情報を表示する入力情報表示部３１（入力用表示面）を有し、電子ノートとして機能する。このように、情報処理端末１は、電子教科書と電子ノートとが一体となっており、筐体１１と筐体１２とを重ね合わせて折り畳むことができる。従って、ユーザが情報処理端末１を容易に持ち運ぶことができる。後述する他の実施形態についても同様に折り畳むことができる。なお、情報処理端末１は、２つの筐体１１，１２を備えるとしたが、筐体の数は２つに限らず、１つでもよいし、３つ以上の複数でもよい。
【００１４】
まず、図２を参照して、筐体１１，１２の構成について説明する。筐体１１と筐体１２との間は有線により接続されている。なお、筐体１１と筐体１２との間は無線により接続されていてもよい。図２に示すように、筐体１１は、参照用情報表示部２１と、入力部２２と、記憶部２３と、参照用情報出力制御部２４とを備えている。
【００１５】
入力部２２は、例えば、参照用情報表示部２１の表示面上に設置されているタッチパネル型入力装置により構成されている。入力部２２は、ユーザが参照用情報表示部２１への表示を所望する教科書、参考書等の参照用情報の入力を受け付ける。また、入力部２２は、参照用情報表示部２１に表示させる教科書等の頁情報等の入力を受け付ける。なお、入力部２２は、タッチパネル型入力装置に限らず、ボタン等の入力インターフェースを使用してもよい。
【００１６】
記憶部２３は、教科書、参考書等の参照用情報を記憶する。また、記憶部２３は、筐体１２の入力情報表示部３１に表示された入力情報を記憶する。なお、記憶部２３は、ネットワーク（図示せず）やリムーバブルディスク（図示せず）を介して、新たな参照用情報を取得し、記憶（更新）することができる。また、参照用情報は、教科書や参考書等の教材の情報に限られない。
【００１７】
参照用情報出力制御部２４は、入力部２２により入力を受け付けた参照用情報を記憶部２３から取得し、参照用情報表示部２１に表示する。これにより、筐体１１は、ユーザに対して参照用情報を表示する電子教科書として機能するので、ユーザが複数の教科書等を持ち運ぶ必要がなく、ユーザの利便性を向上することができる。なお、筐体１１は、有線または無線により他の情報処理端末と通信可能な通信機能を有してもよい。また、筐体１１は、ネットワークを介してサーバ装置と通信可能な通信機能を有してもよい。さらに、筐体１１は、録音機能を有してもよい。
【００１８】
次に、筐体１２について説明する。筐体１２は、入力情報表示部３１と、入力情報取得部３２と、入力情報出力制御部３３とを備えている。
【００１９】
筐体１２の入力情報表示部３１は、筐体１１の参照用情報表示部２１と並設して配置され、入力情報取得部３２により取得された入力情報（入力の軌跡）を表示する表示面を有する。
【００２０】
入力情報取得部３２（入力情報取得手段）は、入力情報表示部３１の表示面上に対する接触に基づいて入力される入力の軌跡を取得する。入力情報取得部３２は、プログラムが組み込まれることで構築された、基準信号生成部４１と、基準信号通信部４２と、無線信号受信部４３と、時間差算出部４４と、距離算出部４５と、位置情報検出部４６（位置情報検出手段）とを備えている。
【００２１】
基準信号生成部４１は、ユーザが入力に使用するペン型入力装置により接触された入力情報表示部３１上の位置を検出するための基準となる基準信号を生成する。基準信号生成部４１は、例えば、予め設定された時間（例えば５ｍｓｅｃ）毎に基準信号（例えば１００μｓｅｃの基準信号）を生成する。筐体１２の基準信号通信部４２は、基準信号生成部４１により生成された基準信号を出力する。出力された基準信号は、ペン型入力装置により受信される。図３を参照して、ペン型入力装置６１の構成について説明する。
【００２２】
図３に示すように、ペン型入力装置６１（入力装置）は、基準信号通信部７１と、接触検出部７２と、無線信号出力部７３とを備えている。ペン型入力装置６１は、例えば、ボールペンの形状をした筆記具である。ペン型入力装置６１の基準信号通信部７１は、筐体１２の基準信号通信部４２により出力された基準信号を受信する。
【００２３】
接触検出部７２は、ペン型入力装置６１の先端部（端部）が入力用表示面（本実施形態では筐体１２の入力情報表示部３１）に接触したことを検出する。接触検出部７２によりペン型入力装置６１の先端部と入力情報表示部３１との接触が検出された場合、基準信号通信部７１は、筐体１２から受信した基準信号を出力（返信）する。出力された基準信号は、筐体１２により受信される。また、接触検出部７２によりペン型入力装置６１の先端部と入力情報表示部３１との接触が検出された場合、無線信号出力部７３は、基準信号通信部７１により受信された基準信号に同期させて、予め設定された無線信号を出力する。例えば、無線信号出力部７３は、基準信号通信部７１が基準信号を出力するタイミングと同じタイミングで無線信号を出力する。無線信号は、例えば、赤外線信号や超音波信号等である。
【００２４】
なお、無線信号出力部７３は、ペン型入力装置６１の先端部付近に配置されている。筐体１２の無線信号受信部４３は、ペン型入力装置６１の無線信号出力部７３から出力された無線信号を受信するので、無線信号出力部７３がペン型入力装置６１の先端部付近に配置されることで、筐体１２の位置情報検出部４６が、ペン型入力装置６１の先端部の位置を検出することができる。また、基準信号通信部７１により出力される基準信号の伝送速度と、無線信号出力部７３により出力される無線信号の伝送速度とは、異なる速度が設定されてもよい。
【００２５】
なお、ペン型入力装置６１の後端部にも同様に接触検出部７２と無線信号出力部７３とを配置し、ペン型入力装置６１の後端部が筐体１２の入力情報表示部３１と接触した場合、接触した位置に表示された入力の軌跡を消すようにすることもできる。この場合、先端部の無線信号出力部７３から出力される無線信号と、後端部の無線信号出力部７３から出力される無線信号とは、異なる信号になる。なお、入力の軌跡を削除する方法は、上記に限られない。
【００２６】
筐体１２の基準信号通信部４２は、ペン型入力装置６１の基準信号通信部７１により送信された基準信号を受信する。また、筐体１２の無線信号受信部４３は、ペン型入力装置６１の無線信号出力部７３により基準信号に同期するように出力された無線信号を受信する。そして、無線信号受信部４３（または基準信号通信部４２）は、基準信号と無線信号とを対応付ける。無線信号受信部４３は、例えば、基準信号通信部４２が最初に受信した基準信号と、無線信号出力部４３が最初に受信した無線信号とを対応付ける。続いて、無線信号受信部４３は、基準信号通信部４２が２番目に受信した基準信号と、無線信号出力部４３が２番目に受信した無線信号とを対応付ける。以下、同様の処理を繰り返すことで、無線信号受信部４３は、基準信号と無線信号とのそれぞれを対応付けることができる。
【００２７】
さらに、筐体１２の無線信号受信部４３は、基準信号に対応付けられた無線信号を受信した時間を表す時間情報を取得する。なお、無線信号受信部４３は、筐体１２の入力情報表示部３１の外周に少なくとも２つ配置されている（例えば図４の無線信号受信部４３Ａ，４３Ｂ）。また、２つの無線信号受信部４３Ａ，４３Ｂのそれぞれは、基準信号通信部４２から等しい距離に位置するのが好ましい。本実施形態においては、無線信号受信部４３が２つである場合について説明するが、無線信号受信部４３の数は２つに限られず、３つ以上の複数でもよい。
【００２８】
時間差算出部４４は、筐体１２の基準信号通信部４２により受信された基準信号に基づいて、時間差データを算出するための時間基準情報を取得する。時間基準情報は、例えば、基準信号を受信した時間情報である。なお、基準信号通信部４２が時間基準情報を取得してもよい。そして、時間差算出部４４は、基準信号に基づいて取得した時間基準情報と、基準信号に対応付けられた無線信号に基づいて無線信号受信部４３により取得された時間情報と、に基づいて時間差データを算出する。時間差算出部４４は、例えば、時間基準情報と無線信号受信部４３Ａにより取得された時間情報Ａとに基づいて時間差データＴＡを算出し、時間基準情報と無線信号受信部４３Ｂにより取得された時間情報Ｂとに基づいて時間差データＴＢを算出する。
【００２９】
距離算出部４５は、時間差算出部４４により算出された時間差データ（例えば時間差データＴＡ，ＴＢ）と、無線信号の伝送速度Ｖと、に基づいて、ペン型入力装置６１の先端部と無線信号受信部との間の距離である距離データを算出する。伝送速度Ｖは、無線信号の種類ごとに予め設定されている。例えば、無線信号が超音波信号である場合、無線信号の伝送速度は約３４８ｍ／ｓｅｃになる。距離算出部４５は、例えば、時間差データＴＡと伝送速度Ｖとに基づいて距離データＬＡ（＝ＴＡ×Ｖ）算出し、時間差データＴＢと伝送速度とに基づいて距離データＬＢ（＝ＴＢ×Ｖ）を算出する。
【００３０】
位置情報検出部４６は、図４に示すように、予め設置されている２つの無線信号受信部４３Ａ，４３Ｂの位置情報と、距離算出部４５により算出された２つの距離データＬＡ，ＬＢとに基づいて、ペン型入力装置６１の先端部の位置を検出する。そして、上述した入力情報取得部３２の処理が繰り返し実行されることで、位置情報検出部４６は、累積された位置情報に基づく入力の軌跡を入力情報として取得する。
【００３１】
入力情報出力制御部３３は、入力情報取得部３２（位置情報検出部４６）により取得された入力情報を入力情報表示部３１に表示するとともに、筐体１１の記憶部２３に記憶する。これにより、ユーザが入力した入力情報を容易に視認できるとともに、入力情報をいつでも呼び出して見直すことができる。なお、筐体１２が記憶部を備え、入力情報取得部３２により取得された入力情報を筐体１２の記憶部に記憶してもよい。
【００３２】
なお、筐体１１と筐体１２とは無線により接続されてもよい。無線により接続される場合、筐体１１と入力情報取得部３２とのそれぞれは、相互に通信するための通信部を備える。
【００３３】
＜動作＞
次に、図５と図６とを参照して、情報処理端末１の動作について説明する。図５は、筐体１２の入力情報取得処理を説明するフローチャートである。図６は、ペン型入力装置６１の無線信号出力処理を説明するフローチャートである。
【００３４】
まず、ステップＳ１において、筐体１２の基準信号生成部４１は、基準信号を生成する。続いて、ステップＳ２において、筐体１２の基準信号通信部４２は、ステップＳ１の処理で生成された基準信号を送信する。
【００３５】
次に、図６のステップＳ２１において、ペン型入力装置６１の基準信号通信部７１は、ステップＳ２の処理で筐体１２から出力された基準信号を受信する。続いて、ステップＳ２２において、ペン型入力装置６１の接触検出部７２は、接触を検出したか否かを判定する。すなわち、接触検出部７２は、ペン型入力装置６１の先端部が筐体１２の入力情報表示部３１と接触したか否かを判定する。ステップＳ２２において、接触を検出していないと判定された場合（ステップＳ２２：Ｎｏ）、処理はステップＳ２１に戻り、同様の処理が繰り返される。一方、ステップＳ２２において、接触を検出したと判定した場合（ステップＳ２２：Ｙｅｓ）、ステップＳ２３において、ペン型入力装置６１の基準信号通信部７１は、ステップＳ２１の処理で受信した基準信号を送信する。そして、ステップＳ２４において、ペン型入力装置６１の無線信号出力部７３は、無線信号を出力する。ステップＳ２４の処理の後、処理はステップＳ２１に戻り、それ以降の処理が繰り返される。
【００３６】
次に、図５のステップＳ３において、筐体１２の基準信号通信部４２は、ステップＳ２３の処理でペン型入力装置６１から送信された基準信号を受信したか否かを判定する。ステップＳ３において、基準信号を受信していないと判定された場合（ステップＳ３：Ｎｏ）、処理はステップＳ１に戻り、それ以降の処理が繰り返される。
【００３７】
一方、ステップＳ３において、筐体１２の基準信号を受信したと判定された場合（ステップＳ３：Ｙｅｓ）、すなわち、ステップＳ２３の処理でペン型入力装置６１から基準信号を受信した場合、処理はステップＳ４に進む。続いて、ステップＳ４において、筐体１２の時間差算出部４４は、基準信号通信部４２により受信された基準信号に基づいて、時間差データを算出するための時間基準情報を生成する。
【００３８】
続いて、ステップＳ５において、筐体１２の無線信号受信部４３は、ステップＳ２４の処理でペン型入力装置６１から送信された無線信号を受信した時間を表す時間情報を取得する。そして、ステップＳ６において、筐体１２の時間差算出部４４は、ステップＳ４の処理で生成された時間基準情報と、ステップＳ５の処理で取得された時間情報とに基づいて時間差データを算出する。例えば、ステップＳ６の処理により、時間基準情報と無線信号受信部４３Ａにより取得された時間情報Ａとに基づく時間差データＴＡ、および、時間基準情報と無線信号受信部４３Ｂにより取得された時間情報Ｂとに基づく時間差データＴＢが算出される。
【００３９】
次に、ステップＳ７において、距離算出部４５は、ステップＳ６の処理で算出された時間差データＴＡ，ＴＢと、無線信号の伝送速度Ｖとに基づいて、距離データを算出する。例えば、ステップＳ７の処理により、時間差データＴＡと伝送速度Ｖとに基づく距離データＬＡ、および、時間差データＴＢと伝送速度Ｖとに基づく距離データＬＢが算出される。
【００４０】
続いて、ステップＳ８において、位置情報検出部４６は、予め設置されている無線信号受信部４３の位置情報と、ステップＳ７の処理で距離算出部４５により算出された距離データＬＡ，ＬＢとに基づいて、ペン型入力装置６１の先端部の位置を検出する。
【００４１】
そして、ステップＳ９において、入力情報出力制御部３３は、ステップＳ８の処理で検出された位置を表す位置情報に基づいて、ユーザの入力情報（入力の軌跡）を入力情報表示部３１に表示する。また、ステップＳ１０において、入力情報出力制御部３３は、ステップＳ８の処理で検出された位置情報に基づく入力情報（入力の軌跡）を筐体１１の記憶部２３に記憶する。ステップＳ１０の処理の後、処理はステップＳ１に戻り、それ以降の処理が繰り返される。なお、入力情報を記憶する処理（ステップＳ１０の処理）において、入力情報出力制御部３３は、ユーザによる接触入力が行われている間は筐体１２が有するメモリ（図示せず）等に入力情報を記憶保持し、ユーザによる接触入力が終了した場合に、メモリに記憶された入力情報を筐体１１の記憶部２３に記憶してもよい。
【００４２】
このように、ユーザが電子教科書と電子ノートとを利用する場合に、電子教科書と電子ノートとの利便性を向上することができる。
【００４３】
＜第２実施形態＞
次に、本発明の第２実施形態について、図７乃至図９とを参照して説明する。図７は、情報処理端末８１の概要を説明する図である。図８は、情報処理端末８１の構成を示すブロック図である。図９は、情報処理端末８１の動作を説明するフローチャートである。
【００４４】
［構成］
図７の情報処理端末８１は、筐体９１と、入力情報取得部１０１と、筐体９１の参照用情報表示部２１と並設した下敷き１０２とを備えている。そして、下敷き１０２の上に筆記対象物１１１（入力用表示面）が表示面として配置される。筆記対象物１１１は、ペン型入力装置１４１（入力装置）により筆記可能な紙等により構成されている。なお、下敷き１０２と入力情報取得部１０１とは、筆記対象物１１１を挟み込むように構成されており、下敷き１０２上で筆記対象物１１１を固定することができる。
【００４５】
次に、図８を参照して、筐体９１と入力情報取得部１０１との構成について説明する。図８の筐体９１と入力情報取得部１０１のうち、図２の筐体１１と入力情報取得部３２と同様の構成を有する要素には、同じ符号が付されている。すなわち、図８の筐体９１が入力情報受信部１２１を備える点が、図２の筐体１１と異なる。また、入力情報取得部１０１が入力情報送信部１３１を備える点が図２の入力情報取得部３２と異なる。そして、図８の筐体９１と入力情報取得部１０１の他の構成は図２の筐体１１と入力情報取得部３２と同様である。従って、図２の筐体１１と入力情報取得部３２と同様の構成については簡単に説明する。
【００４６】
まず、筐体９１の構成について説明する。筐体９１は、参照用情報表示部２１と、入力部２２と、記憶部２３と、参照用情報出力制御部２４とを備えている。参照用情報表示部２１は、教科書、参考書等の参照用情報を表示する。入力部２２は、例えば、参照用情報表示部２１の表示面上に設置されているタッチパネル型入力装置により構成されており、ユーザによる接触入力を受け付ける。記憶部２３は、教科書、参考書等の参照用情報を記憶する。また、記憶部２３は、筆記対象物３１に表示された入力情報を記憶する。参照用情報出力制御部２４は、入力部２２により入力を受け付けた参照用情報を記憶部２３から取得し、参照用情報表示部２１に表示する。
【００４７】
入力情報受信部１２１は、入力情報取得部１０１の入力情報送信部１３１により送信された入力情報を受信する。そして、入力情報受信部１２１は、受信した入力情報を記憶部２３に記憶する。なお、筐体９１と入力情報取得部１０１とを有線により接続する場合、入力情報取得部１０１の入力情報送信部１３１が、直接、筐体９１の記憶部２３に入力情報を記憶してもよい。
【００４８】
次に、入力情報取得部１０１の構成について説明する。入力情報取得部１０１は、基準信号生成部４１と、基準信号通信部４２と、無線信号受信部４３と、時間差算出部４４と、距離算出部４５と、位置情報検出部４６と、入力情報送信部１３１とを備えている。
【００４９】
基準信号生成部４１は、ユーザが入力に使用するペン型入力装置１４１により接触された筆記対象物１１１上の位置を検出するための基準となる基準信号を生成する。基準信号通信部４２は、ペン型入力装置１４１へ基準信号を出力するとともに、ペン型入力装置１４１から送信された基準信号を受信する。無線信号受信部４３は、ペン型入力装置１４１により基準信号に同期するように出力された無線信号を受信する。また、無線信号受信部４３は、基準信号に同期された（基準信号に対応付けられた）無線信号を受信した時間を表す時間情報を取得する。
【００５０】
時間差算出部４４は、基準信号通信部４２により受信された基準信号に基づいて、時間差データを算出するための時間基準情報を取得する。そして、時間差算出部４４は、基準信号に基づいて取得した時間基準情報と、基準信号に対応付けられた無線信号に基づいて無線信号受信部４３により取得された時間情報と、に基づいて時間差データを算出する。距離算出部４５は、時間差算出部４４により算出された時間差データと、無線信号の伝送速度とに基づいて、ペン型入力装置１４１の先端部と無線信号受信部との間の距離である距離データを算出する。
【００５１】
位置情報検出部４６は、予め設置されている無線信号受信部の位置情報と、距離算出部４５により算出された距離データとに基づいて、ペン型入力装置１４１の先端部の位置を検出する。そして、上述した入力情報取得部１０１の処理が繰り返し実行されることで、位置情報検出部４６は、累積された位置情報に基づく入力の軌跡を入力情報として取得する。
【００５２】
入力情報取得部１０１の入力情報送信部１３１は、位置情報検出部４６により検出された位置情報に基づく入力情報を筐体９１へ送信する。なお、入力情報取得部１０１が記憶部を備えている場合、位置情報検出部４６が、入力情報取得部１０１の記憶部に入力情報を記憶し、入力情報送信部１３１は、記憶部に記憶された入力情報を筐体へ送信してもよい。
【００５３】
次に、ペン型入力装置１４１の構成について説明する。ペン型入力装置１４１は、当該ペン型入力装置１４１の先端部に、シャープペンの芯や、ボールペンの芯等の筆記部材を有し、筆記対象物１１１に対して筆記可能な筆記手段を有する点が図３のペン型入力装置６１と異なり、他の構成については図３のペン型入力装置６１と同様である。
【００５４】
すなわち、ペン型入力装置１４１は、基準信号通信部７１と、接触検出部７２と、無線信号出力部７３とを備えている。ペン型入力装置１４１の基準信号通信部７１は、入力情報取得部１０１の基準信号通信部４２により出力された基準信号を受信する。接触検出部７２は、ペン型入力装置１４１の先端部が筆記対象物１１１に接触したことを検出する。ペン型入力装置１４１の先端部が筆記対象物１１１に接触することで、ユーザによる接触入力の軌跡が筆記対象物１１１（入力用表示面）上に表示される。
【００５５】
基準信号通信部７１は、接触検出部７２によりペン型入力装置１４１の先端部と筆記対象物１１１との接触が検出された場合、入力情報取得部１０１から受信した基準信号を出力（返信）する。また、無線信号出力部７３は、接触検出部７２によりペン型入力装置１４１の先端部と筆記対象物１１１との接触が検出された場合、基準信号通信部７１により受信された基準信号に同期させて、予め設定された無線信号を出力する。
【００５６】
［動作］
次に、図９を参照して、情報処理端末８１の動作について説明する。なお、図９のステップＳ４１乃至Ｓ４８の処理は、図５のステップＳ１乃至Ｓ８の処理と同様の処理であるので、詳細な説明は省略する。また、ペン型入力装置１４１の動作は、ペン型入力装置６１の動作と同様であるので、図３を参照して説明する。
【００５７】
まず、ステップＳ４１において、入力情報取得部１０１の基準信号生成部４１は、基準信号を生成する。続いて、ステップＳ４２において、入力情報取得部１０１の基準信号通信部４２は、生成された基準信号を送信する。
【００５８】
次に、図６のステップＳ２１において、ペン型入力装置１４１の基準信号通信部７１は、ステップＳ４２の処理で入力情報取得部１０１から出力された基準信号を受信する。続いて、ステップＳ２２において、ペン型入力装置１４１の接触検出部７２は、接触を検出したか否かを判定する。ステップＳ２２において、接触を検出していないと判定された場合（ステップＳ２２：Ｎｏ）、処理はステップＳ２１に戻り、同様の処理が繰り返される。
【００５９】
一方、ステップＳ２２において、接触を検出したと判定した場合（ステップＳ２２：Ｙｅｓ）、処理はステップＳ２３に進む。なお、接触検出部７２により接触が検出された場合、すなわち、ペン型入力装置１４１の先端部が筆記対象物１１１と接触した場合、ユーザによる接触入力の軌跡が筆記対象物１１１（入力用表示面）上に表示される。
【００６０】
ステップＳ２３において、ペン型入力装置１４１の基準信号通信部７１は、ステップＳ２１の処理で受信した基準信号を送信する。そして、ステップＳ２４において、ペン型入力装置６１の無線信号出力部７３は、無線信号を出力する。ステップＳ２４の処理の後、処理はステップＳ２１に戻り、それ以降の処理が繰り返される。
【００６１】
次に、図９のステップＳ４３において、入力情報取得部１０１の基準信号通信部４２は、ステップＳ２３の処理でペン型入力装置６１から送信された基準信号を受信したか否かを判定する。ステップＳ４３において、基準信号を受信していないと判定された場合（ステップＳ４３：Ｎｏ）、処理はステップＳ１に戻り、それ以降の処理が繰り返される。
【００６２】
一方、ステップＳ４３において、入力情報取得部１０１の基準信号を受信したと判定された場合（ステップＳ４３：Ｙｅｓ）、ステップＳ４４において、筐体１２の時間差算出部４４は、基準信号通信部４２により受信された基準信号に基づいて、時間基準情報を生成する。
【００６３】
続いて、ステップＳ４５において、入力情報取得部１０１の無線信号受信部４３は、ステップＳ２４の処理でペン型入力装置６１から送信された無線信号を受信した時間を表す時間情報を取得する。そして、ステップＳ４６において、入力情報取得部１０１の時間差算出部４４は、ステップＳ４４の処理で生成された時間基準情報と、ステップＳ４５の処理で取得された時間情報とに基づいて時間差データを算出する。
【００６４】
次に、ステップＳ４７において、距離算出部４５は、ステップＳ４６の処理で算出された時間差データと、無線信号の伝送速度とに基づいて、距離データを算出する。続いて、ステップＳ４８において、位置情報検出部４６は、予め設置されている無線信号受信部４３の位置情報と、ステップＳ４７の処理で距離算出部４５により算出された距離データとに基づいて、ペン型入力装置６１の先端部の位置を検出する。
【００６５】
そして、ステップＳ４９において、入力情報送信部１３１は、ステップＳ４８の処理で検出された位置情報に基づく入力情報（入力の軌跡）を筐体９１へ送信する。ステップＳ４９の処理の後、処理はステップＳ１に戻り、それ以降の処理が繰り返される。
【００６６】
なお、位置情報検出部４６が位置情報を検出した後（ステップＳ４８の処理の後）、ユーザによる接触入力が行われている間、位置情報検出部４６は、検出した位置を表す位置情報（入力情報）を入力情報取得部１０１が有するメモリ（図示せず）等に記憶してもよい。そして、ユーザによる接触入力が終了した場合（または予め設定された時間に入力を受け付けなかった場合）に、入力情報送信部１３１が、メモリに記憶された入力情報を筐体１１へ記憶してもよい。入力情報送信部１３１が送信した入力情報は、筐体９１の入力情報受信部１２１により受信され、記憶部２３に記憶される。
【００６７】
このように、紙等の筆記対象物を参照用情報表示部２１に並設するように配置し、筆記対象物に対して筆記されたユーザの入力の軌跡（入力情報）を記憶するので、第１実施形態に示した筐体１２の入力情報表示部３１を備える場合に比べて、コストを低減することができるとともに、情報処理端末８１を軽量化することができる。
【００６８】
＜第３実施形態＞
次に、本発明の第３実施形態について、図１０と図１１を参照して説明する。図１０は、入力情報取得部１５１の概要を説明する図である。図１１は、入力情報取得部１５１の構成を示すブロック図である。
【００６９】
［構成］
図１０の入力情報取得部１５１は、図７の下敷き１０２と着脱自在（取り外し可能）に構成された装置である。入力情報取得部１５１は、筆記対象物１１１を挟み込んで固定できるように構成されており、ペン型入力装置６１を用いて筆記対象物１１１に接触入力した入力の軌跡（入力情報）を記憶する。
【００７０】
次に、図１１の入力情報取得部１０１の構成について説明する。図１０の入力情報取得部１５１のうち、図８の入力情報取得部１０１と同様の構成を有する要素には同じ符号が付されている。すなわち、入力情報取得部１５１は、入力情報記憶部１６１を備える点が異なり、他の構成は図８の入力情報取得部１０１と同様である。従って、入力情報取得部１０１と同様の構成については簡単に説明する。
【００７１】
入力情報取得部１５１は、基準信号生成部４１と、基準信号通信部４２と、無線信号受信部４３と、時間差算出部４４と、距離算出部４５と、位置情報検出部４６と、入力情報送信部１３１と、入力情報記憶部１６１とを備えている。
【００７２】
基準信号生成部４１は、ユーザが入力に使用するペン型入力装置１４１により接触された筆記対象物１１１上の位置を検出するための基準となる基準信号を生成する。基準信号通信部４２は、ペン型入力装置１４１へ基準信号を出力するとともに、ペン型入力装置１４１から送信された基準信号を受信する。無線信号受信部４３は、ペン型入力装置１４１により基準信号に同期するように出力された無線信号を受信する。また、無線信号受信部４３は、基準信号に同期された（基準信号に対応付けられた）無線信号を受信した時間を表す時間情報を取得する。
【００７３】
時間差算出部４４は、基準信号通信部４２により受信された基準信号に基づいて、時間差データを算出するための時間基準情報を取得する。そして、時間差算出部４４は、基準信号に基づいて取得した時間基準情報と、基準信号に対応付けられた無線信号に基づいて無線信号受信部４３により取得された時間情報と、に基づいて時間差データを算出する。距離算出部４５は、時間差算出部４４により算出された時間差データと、無線信号の伝送速度とに基づいて、ペン型入力装置１４１の先端部と無線信号受信部との間の距離である距離データを算出する。
【００７４】
位置情報検出部４６は、予め設置されている無線信号受信部の位置情報と、距離算出部４５により算出された距離データとに基づいて、ペン型入力装置１４１の先端部の位置を検出する。そして、上述した入力情報取得部１０１の処理が繰り返し実行されることで、位置情報検出部４６は、累積された位置情報に基づく入力の軌跡を入力情報として取得する。入力情報送信部１３１は、位置情報検出部４６により検出された位置情報に基づく入力情報を筐体９１へ送信する。
【００７５】
入力情報記憶部１６１（位置情報記憶手段）は、位置情報検出部４６により検出された位置を表す位置情報を記憶する。すなわち、入力情報記憶部１６１は、累積された位置情報に基づく入力情報を記憶する。そして、入力情報取得部１５１の入力情報送信部１３１（位置情報送信手段）は、例えば、入力情報記憶部１６１に記憶された入力情報を、無線により筐体９１へ送信する。
【００７６】
このように、ユーザが情報処理端末を持たずに移動した移動先で筆記対象物１１１に対して筆記した入力情報を記憶し、後で確認することができるので、ユーザの利便性を向上することができる。
【００７７】
＜第４実施形態＞
次に、本発明の第４実施形態について図１２乃至図１４を参照して説明する。図１２は、情報処理端末１８１の構成を示す図である。図１３は、筐体２０１の構成を示すブロック図である。図１４は、筐体２０１の動作を説明するフローチャートである。
【００７８】
［構成］
図１２の情報処理端末１８１は、２つの筐体１１，２０１を備えている。筐体２０１は、入力情報表示部２１１と初期化ボタン２１２とを備えている。筐体２０１の入力情報表示部２１１（入力用表示面）は、筐体１１の参照用情報表示部２１と並設するように配置されている。筐体２０１の入力情報表示部２１１は、接触入力された位置の表示色が入力情報表示部２１１の背景色と異なるように構成されている。
【００７９】
ペン型入力装置２２１は、例えば、先端部が突出した形状を有する入力装置である。なお、ペン型入力装置２２１の形状は、先端部が突出した形状に限らず、後述する接触検出部２４３により入力情報表示部２１１との接触が検出できるものであればよい。また、筐体２０１は、入力情報表示部２１１上に紙等の筆記対象物を配置し、筆記対象物を介して入力された入力情報を表示することができる。この場合、ペン型入力装置２２１は、端部に筆記対象物に対して筆記可能な筆記手段を有する。
【００８０】
なお、筐体１１は、図１の筐体１１と同様の構成を有しているので、筐体１１については簡単に説明する。すなわち、筐体１１は、参照用情報表示部２１と、入力部２２と、記憶部２３と、参照用情報出力制御部２４とを備えている。参照用情報表示部２１は、教科書、参考書等の参照用情報を表示する。入力部２２は、タッチパネル型入力装置により構成されており、ユーザによる接触入力を受け付ける。記憶部２３は、教科書、参考書等の参照用情報を記憶する。また、記憶部２３は、筆記対象物３１に表示された入力情報を記憶する。参照用情報出力制御部２４は、入力部２２により入力を受け付けた参照用情報を記憶部２３から取得し、参照用情報表示部２１に表示する。
【００８１】
次に、図１３を参照して、筐体２０１の構成について説明する。筐体２０１は、入力情報表示部２１１と、初期化受付部２４１と、表示制御部２４２（制御手段）と、接触検出部２４３と、位置情報取得部２４４と、入力情報記憶制御部２４５と、を備えている。なお、初期化受付部２４１と、表示制御部２４２と、接触検出部２４３と、位置情報取得部２４４と、入力情報記憶制御部２４５とは、プログラムが組み込まれることで構築される。
【００８２】
入力情報表示部２１１は、例えば、電気泳動方式を採用したディスプレイにより構成されている。電気泳動方式では、透明なマイクロカプセルの中に正と負のそれぞれに帯電した２色（例えば黒と白）の粒子を流体とともに収めている。複数のマイクロカプセルのそれぞれは２枚の電極板の間に隙間なく並べられている。
【００８３】
表示制御部２４２は、ペン型入力装置２２１による接触に応じて、自動的に接触された位置に電圧を印加する。これにより、２枚の電極板の間に電界が生じ、２色の粒子のうちの一方が流体中を泳動して表示面上に移動することで、ユーザによる入力の軌跡（入力情報）を表示することができる。
【００８４】
接触検出部２４３は、例えば、入力情報表示部２１１の表示面上に配置された感圧シート等の圧力検出センサを用いて、ペン型入力装置２１１が入力情報表示部２１１の表示面上と接触したか否かを判定する。位置情報取得部２４４は、接触検出部２４３により接触したと判定された場合に、接触された入力情報表示部２１１の表示面上の位置情報を取得する。入力情報記憶制御部２４５は、位置情報取得部２４４により取得された位置情報に基づく入力情報を、筐体１１の記憶部２３に記憶する。なお、接触検出部２４３による接触検出の手法は、圧力検出センサに限らず、他の手法を利用してもよい。
【００８５】
なお、本実施形態では、入力表示部２１１を、電気泳動方式を採用したディスプレイにより構成されたものとして説明するが、入力表示部２１１と表示制御部２４２と接触検出部２４３とは、ペン型入力装置の表示面への接触圧力によって変色し、変色箇所の位置情報を読み出し可能なディスプレイデバイスにより構成されてもよい。
【００８６】
初期化受付部２４１は、初期化の指示の入力を受け付ける。初期化受付部２４１は、例えば、初期化ボタン２１２が押下されたか否かを検出する。初期化受付部２４１により初期化ボタン２１２が押下されたと判定された場合、表示制御部２４２は、予め設定された電圧値以上の電圧を印加することで、入力情報表示部２１１の２色の粒子のうちの一方を入力情報表示部２１１の表示面上に移動させ、入力情報表示部２１１の表示色を背景色に変更する。なお、筐体２０１の構成は、上記に限られず、入力情報表示部２１１の表示面上に接触入力があった場合に、接触された位置の表示色が背景色と異なる色に変化する構成であればよい。また、初期化の指示の入力は、初期化ボタン２１２の押下に限られない。
【００８７】
［動作］
次に、図１４を参照して、情報処理端末１８１の動作について説明する。まず、ステップＳ６１において、初期化受付部２４１は、ユーザにより初期化が指示されたか否かを判定する。例えば、初期化受付部２４１は、初期化ボタン２１２が押下されたか否かを判定する。ステップＳ６１において、初期化が指示された（初期化ボタン２１２が押下された）と判定された場合（ステップＳ６１：Ｙｅｓ）、ステップＳ６２において、表示制御部２４２は、表示色を背景色に変更する。ステップＳ６２の処理の後、処理はステップＳ６１に戻り、それ以降の処理が繰り返される。
【００８８】
一方、ステップＳ６１において、初期化が指示されていない（初期化ボタン２１２が押下されていない）と判定された場合（ステップＳ６１：Ｎｏ）、ステップＳ６３において、接触検出部２４３は、ペン型入力装置２１１と入力情報表示部２１１との接触を検出したか否かを判定する。ステップＳ６３において、接触を検出していないと判定された場合（ステップＳ６３：Ｎｏ）、処理はステップＳ６１に戻り、それ以降の処理が繰り返される。
【００８９】
一方、ステップＳ６３において、接触が検出されたと判定された場合（ステップＳ６３：Ｙｅｓ）、ステップＳ６４において、位置情報取得部２４４は、接触された入力情報表示部２１１の表示面上の位置を表す位置情報を取得する。続いて、ステップＳ６５において、入力情報記憶制御部２４５は、ステップＳ６４の処理で取得した位置情報に基づく入力情報を筐体１１の記憶部２３に記憶する。ステップＳ６５の処理の後、処理はステップＳ６１に戻り、それ以降の処理が繰り返される。
【００９０】
なお、位置情報取得部２４４が位置情報を取得した後（ステップＳ６４の処理の後）、ユーザによる接触が検出されている間、位置情報取得部２４４は、位置情報（入力情報）を筐体２０１が有するメモリ（図示せず）等に記憶してもよい。そして、ユーザによる接触入力が終了した場合（例えば、接触検出部２４３により接触が検出されていないと判定された場合）に、入力情報記憶制御部２４５が、筐体２０１のメモリに記憶された入力情報を筐体１１の記憶部２３へ記憶してもよい。
【００９１】
このように、入力情報表示部２１１に対して直接入力された入力情報を表示し、記憶するので、ユーザが容易に利用でき、ユーザの利便性を向上することができる。
【００９２】
＜第５実施形態＞
次に、本発明の第５実施形態について図１５乃至図１７とを参照して説明する。図１５は、情報処理端末２８１の概要を説明する図である。図１６は、情報処理端末２８１の構成を示すブロック図である。図１７は、筐体３０１の動作を説明するフローチャートである。
【００９３】
［構成］
図１５の情報処理端末２８１は、２つの筐体１１，３０１を備えている。筐体３０１は、筐体１１と同様にタッチパネル型入力装置を備えている。筐体３０１の入力情報表示部３１１（入力用表示面）は、筐体１１の参照用情報表示部２１と並設するように配置されている。
【００９４】
なお、筐体１１は、図１の筐体１１と同様の構成を有しているので、筐体１１については簡単に説明する。すなわち、筐体１１は、参照用情報表示部２１と、入力部２２と、記憶部２３と、参照用情報出力制御部２４とを備えている。参照用情報表示部２１は、教科書、参考書等の参照用情報を表示する。入力部２２は、タッチパネル型入力装置により構成されており、ユーザによる接触入力を受け付ける。記憶部２３は、教科書、参考書等の参照用情報を記憶する。また、記憶部２３は、筆記対象物３１に表示された入力情報を記憶する。参照用情報出力制御部２４は、入力部２２により入力を受け付けた参照用情報を記憶部２３から取得し、参照用情報表示部２１に表示する。
【００９５】
次に、図１６を参照して、筐体３０１の構成について説明する。図１６の筐体３０１は、入力情報表示部３１１と、入力情報取得部３１２と、入力情報出力制御部３１３とを備えている。
【００９６】
筐体３０１の入力情報表示部３１１は、筐体１１の参照用情報表示部２１と並設して配置され、入力情報取得部３１２により取得された入力情報（入力の軌跡）を表示する表示面を有する。筐体３０１の入力情報取得部３１２は、例えば、入力情報表示部３１１の表示面上に設置されているタッチパネル型入力装置により構成されている。入力情報取得部３１２は、ユーザからの接触入力を受け付ける。そして、入力情報出力制御部３１３は、接触入力に基づく入力情報を入力情報表示部３１１に表示するとともに、入力情報を筐体１１の記憶部２３に記憶する。なお、筐体３０１が記憶部を備え、入力情報を筐体３０１の記憶部に記憶してもよい。
【００９７】
また、入力情報取得部３１２は、プログラムが組み込まれることで構築された、接触検出部３２１と、位置情報取得部３２２とを備えている。接触検出部３２１は、例えば、入力情報表示部２１１の表示面上に配置された圧力検出センサを用いて、ペン型入力装置２１１が入力情報表示部３１１の表示面上と接触したか否かを判定する。位置情報取得部３２２は、接触検出部３２１により接触したと判定された場合に、接触された入力情報表示部３１１の表示面上の位置情報を取得する。なお、接触検出部２４３による接触検出の手法は、圧力検出センサに限らず、他の手法を利用してもよい。
【００９８】
［動作］
次に、図１７を参照して、情報処理端末２８１の動作について説明する。まず、ステップＳ８１において、接触検出部３２１は、ペン型入力装置２１１と入力情報表示部３１１の表示面上との接触を検出したか否かを判定する。ステップＳ８１において、接触を検出していないと判定された場合（ステップＳ８１：Ｎｏ）、処理はステップＳ８１に戻り、同様の処理が繰り返される。
【００９９】
一方、ステップＳ８１において、接触が検出されたと判定された場合（ステップＳ８１：Ｙｅｓ）、ステップＳ８２において、位置情報取得部３２２は、接触された入力情報表示部３１１の表示面上の位置を表す位置情報を取得する。続いて、ステップＳ８３において、入力情報出力制御部２４５は、ステップＳ８２の処理で取得した位置情報に基づく入力情報を筐体１１の記憶部２３に記憶する。ステップＳ８２の処理の後、処理はステップＳ８１に戻り、それ以降の処理が繰り返される。なお、位置情報取得部３２２が位置情報を取得した後（ステップＳ８２の処理の後）、ユーザによる接触が検出されている間、位置情報取得部３２２は、位置情報（入力情報）を筐体３０１が有するメモリ（図示せず）等に記憶してもよい。そして、ユーザによる接触入力が終了した後（例えば、接触検出部３２１により接触が検出されていないと判定された場合）に、入力情報出力制御部３１３が、筐体３０１のメモリに記憶された入力情報を筐体１１の記憶部２３へ記憶してもよい。
【０１００】
このように、入力情報表示部３１１に対して、ユーザが直接入力し、直接入力された入力情報を表示し、記憶するので、ユーザが容易に利用でき、ユーザの利便性を向上することができる。
【０１０１】
なお、上記各実施形態においては、参照用情報表示部と、参照用情報表示部に並設する入力情報表示部との２つの表示部を有するとしたが、１つの表示部の表示面を参照用情報表示領域と入力情報表示領域との２つの領域に分割して使用してもよい。また、表示部の数は、３つ以上の複数であってもよい。
【０１０２】
また、上記各実施形態においては、ペン型入力装置の位置を検出するために基準信号通信部４２を設けて基準信号を出力し、ペン型入力装置による接触入力中にその基準信号に同期させた無線信号を出力する例を記載したが、ペン型入力装置の位置を検出する方法は、この例に限られない。例えば、接触入力中の時刻などの時系列が分かる基準信号を含む座標情報（無線信号）がペン型入力装置から出力され、出力された座標情報を無線信号受信部４３にて受信する構成であればよい。この場合、基準信号生成部４１と基準信号通信部４２は不要となる。さらに、上記に限らず、ペン（ペン型入力装置）が接触した表示面上の位置座標が検出できればよい。例えば、第５実施形態に記載した感圧式のタッチパネル型入力装置を採用し、ペン型入力装置が接触した表示面上の位置座標を直接検出してもよい。
【０１０３】
＜付記＞
上記実施形態の一部又は全部は、以下の付記のようにも記載されうる。以下、本発明における筐体等の構成の概略を説明する。但し、本発明は、以下の構成に限定されない。
【０１０４】
（付記１）
所定の出力情報を表示する出力用表示面を有する出力情報表示部と、
前記出力情報表示部に並設して配置され、面上に対する接触に基づいて入力される入力情報を表示する入力用表示面を有する入力情報表示部と、
前記入力情報を記憶する記憶手段と、
を備える情報処理端末。
【０１０５】
これによれば、ユーザが出力情報と入力情報とを同時に確認できるとともに、ユーザが入力した入力情報を後で確認できるので、ユーザの利便性を向上することができる。
【０１０６】
（付記２）
入力装置により接触された前記入力用表示面上の位置を検出し、当該位置を表す位置情報に基づく入力の軌跡を前記入力情報として取得する入力情報取得手段、
をさらに備える付記１記載の情報処理端末。
【０１０７】
これによれば、入力装置により接触された入力用表示面上の位置を取得するので、入力用表示面上に対する接触に応じた入力の軌跡を記憶し、再現することができる。
【０１０８】
（付記３）
前記入力装置は、端部に筆記可能な筆記手段を有し、前記入力装置の端部と前記入力用表示面との接触を検出すると、前記入力装置の端部から予め設定された無線信号を出力し、
前記入力情報取得手段は、
前記入力装置により出力された無線信号を受信する無線信号受信部と、
前記無線信号受信部により受信された前記無線信号に基づいて、前記入力装置により接触された前記入力用表示面上の位置を検出する位置情報検出手段と、
を備える付記２記載の情報処理端末。
【０１０９】
これによれば、入力装置の端部から送信された無線信号を受信し、入力装置により接触された入力用表示面上の位置を検出するので、入力用表示面上に対する接触に応じた入力の軌跡を確実に取得し、記憶することができる。
【０１１０】
（付記４）
前記入力用表示面は紙を含み、
前記入力装置は、当該入力装置の端部に紙に筆記可能な筆記手段を有する、
付記２又は３記載の情報処理端末。
【０１１１】
これによれば、ユーザが紙に書いた入力情報を取得するので、ユーザの接触入力の軌跡を遅延なく表示できるとともに、接触入力の軌跡を確実に取得し、記憶することができる。
【０１１２】
（付記５）
前記入力情報取得手段は、情報処理端末と取り外し可能に構成されており、
前記位置情報検出手段により検出された前記位置情報を記憶する位置情報記憶手段と、
前記位置情報記憶手段により記憶された前記位置情報を前記情報処理端末へ送信する位置情報送信手段と、
を備え、
前記位置情報送信手段により送信された前記位置情報を受信する位置情報受信手段をさらに備え、
前記記憶手段は、前記位置情報受信手段により受信された前記位置情報に基づく入力の軌跡を前記入力情報として記憶する、
付記３又は４記載の情報処理端末。
【０１１３】
これによれば、情報処理端末と取り外し可能に構成された入力情報取得手段が位置情報を記憶し、記憶した位置情報を情報処理端末へ送信するので、情報処理端末を保持していない移動先で筆記した接触入力の軌跡を記憶し、情報処理端末にて再現することができる。
【０１１４】
（付記６）
前記入力情報表示部は、前記入力用表示面上に対する接触に応じて、接触された前記入力用表示面上の位置の表示色を前記入力用表示面の背景色とは異なる色に変化させるとともに、初期化指示の入力に応じて、前記入力用表示面上の表示色を背景色に変化させる、
付記１記載の情報処理端末。
【０１１５】
これによれば、入力用表示面上に対する接触に応じた入力の軌跡を遅延なく表示できるとともに、容易に表示内容を初期化して書き直すことができる。
【０１１６】
（付記７）
前記入力情報取得手段は、前記入力装置により接触された前記入力情報表示部の前記入力用表示面上の位置を検出し、前記位置情報に基づく入力の軌跡を前記入力情報として取得するタッチパネル式入力装置である、
付記２記載の情報処理端末。
【０１１７】
これによれば、接触入力の軌跡をタッチパネル式入力装置により取得するので、タッチパネル式入力装置を利用した多様な入力に基づく入力情報を取得することができる。
【０１１８】
（付記８）
出力用表示面を有する出力情報表示部と、前記出力情報表示部に並設して配置され、入力用表示面を有する入力情報表示部と、所定の情報を記憶する記憶手段と、を備える情報処理端末にて、
前記入力用表示面上に対する接触に基づいて入力される入力情報を受け付け、
前記入力情報を前記入力用表示面に表示し、
前記入力情報を前記記憶手段に記憶する、
情報処理方法。
【０１１９】
（付記９）
入力装置により接触された前記入力用表示面上の位置を検出し、当該位置を表す位置情報に基づく入力の軌跡を前記入力情報として取得する、
付記８記載の情報処理方法。
【０１２０】
（付記１０）
前記入力情報表示部は、前記入力用表示面上に対する接触に応じて、接触された前記入力用表示面上の位置の表示色を前記入力用表示面の背景色とは異なる色に変化させるとともに、初期化指示の入力に応じて、前記入力用表示面上の表示色を背景色に変化させる、
付記８記載の情報処理方法。
【０１２１】
（付記１１）
出力用表示面を有する出力情報表示部と、前記出力情報表示部に並設して配置され、入力用表示面を有する入力情報表示部と、所定の情報を記憶する記憶手段と、を備える情報処理端末に、
入力装置により接触された前記入力用表示面上の位置を検出し、当該位置を表す位置情報に基づく入力の軌跡を前記入力情報として取得する入力情報取得手段、
を実現させるためのプログラム。
【０１２２】
（付記１２）
出力用表示面を有する出力情報表示部と、前記出力情報表示部に並設して配置され、入力用表示面を有する入力情報表示部と、所定の情報を記憶する記憶手段と、を備える情報処理端末に、
前記入力用表示面上に対する接触に応じて、接触された前記入力用表示面上の位置の表示色を前記入力用表示面の背景色とは異なる色に変化させるとともに、ユーザによる初期化指示に応じて、前記入力用表示面上の表示色を背景色に変化させるように制御する制御手段、
を実現させるためのプログラム。
【符号の説明】
【０１２３】
１  情報処理端末
１１，１２  筐体
２１  参照用情報表示部
２２  入力部
２３  記憶部
２４  参照用情報出力制御部
３１  入力情報表示部
３２  入力情報取得部
３３  入力情報出力制御部
４１  基準信号生成部
４２  基準信号通信部
４３  無線信号受信部
４４  時間差算出部
４５  距離算出部
４６  位置情報検出部
６１  ペン型入力装置
７１  基準信号通信部
７２  接触検出部
７３  無線信号出力部７３
８１  情報処理端末
９１  筐体
１０１  入力情報取得部
１０２  下敷き
１１１  筆記対象物
１２１  入力情報受信部
１３１  入力情報送信部
１４１  ペン型入力装置
１５１  入力情報取得部
１６１  入力情報記憶部
１８１  情報処理端末
２０１  筐体
２１１  入力情報表示部
２１２  初期化ボタン
２２１  ペン型入力装置
２４１  初期化受付部
２４２  表示制御部
２４３  接触検出部
２４４  位置情報取得部
２４５  入力情報記憶制御部
２８１  情報処理端末
３０１  筐体
３１１  入力情報表示部
３１２  入力情報取得部
３１３  入力情報出力制御部
３２１  接触検出部
３２２  位置情報取得部
【図１】
2013242612.tif 000003
【図２】
2013242612.tif 000004
【図３】
2013242612.tif 000005
【図４】
2013242612.tif 000006
【図５】
2013242612.tif 000007
【図６】
2013242612.tif 000008
【図７】
2013242612.tif 000009
【図８】
2013242612.tif 000010
【図９】
2013242612.tif 000011
【図１０】
2013242612.tif 000012
【図１１】
2013242612.tif 000013
【図１２】
2013242612.tif 000014
【図１３】
2013242612.tif 000015
【図１４】
2013242612.tif 000016
【図１５】
2013242612.tif 000017
【図１６】
2013242612.tif 000018
【図１７】
2013242612.tif 000019